【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
製品を搬送方向に搬送するように設計された運搬機構の動きを、好ましくは無端循環する、案内構造体によって決められた搬送路に沿って案内するための案内構造体であって、前記運搬機構が実質的に互いに作用連結されたある数の機能ユニットから成る、前記案内構造体において、
前記案内構造体（６００）が順次連続するある数の案内レール要素（７００）から成り、この案内レール要素が前記搬送路に沿ってトンネル状の案内通路（６２０）を形成することと、転動運動するように設計された前記運搬機構（１００、２００）を案内するための手段が前記案内通路の少なくとも内壁側に設けられていることを特徴とする案内構造体。
【請求項２】
連続する前記案内レール要素（７００）に沿って前記運搬機構を案内するための前記手段が、走行面要素（７５０）によって形成されていることと、この走行面要素が前記搬送路を形成する案内レール要素（７００）に沿って搬送方向に、関連するシステムを形成していることと、前記案内レール要素（７００）が少なくとも摩擦的に互いに連結されていることを特徴とする請求項１記載の案内構造体。
【請求項３】
前記案内レール要素（７００）がそれぞれ端側に、摩擦連結された連結要素（９１０、９２０）を備えていることと、一方の前記連結要素が連続する前記案内レール要素の隣接する前記連結要素に対して正反対の位置決め手段（９３０、９４０；９３１、９４１）を備え、この手段がトンネル状の前記案内通路（６２０）の継ぎ足し接続（ｋｏｎｇｒｕｅｎｔｅ  Ｆｏｒｔｓｅｔｚｕｎｇ）を実現することを特徴とする請求項１又は２記載の案内構造体。
【請求項４】
一方のフランジ（９１０）における前記位置決め手段が少なくとも１つの突起（９３０、９４１）と少なくとも１つの凹部（９４０、９３１）によって形成され、反対側の前記連結要素（９２０）において突起と凹部が正反対の相補的な形状を有することを特徴とする請求項３記載の案内構造体。
【請求項５】
前記突起（９３９、９４１）と前記凹部（９４０、９３１）が正反対の先細の輪郭を有することを特徴とする請求項４記載の案内構造体。
【請求項６】
案内レール要素（７００）及び／又は連結要素から、次の案内レール要素及び／又は所属の連結要素への移行部が、面取り部（８５２）を備えていることと、この面取り部（８５２）がアダプタ要素（８５０）によって架橋されていることを特徴とする請求項１〜５のいずれか１項に記載の案内構造体。
【請求項７】
案内レール要素（７００）が少なくとも運搬機構の転動平面に沿って対向して平行に及び／又は鏡像的に平行に、運搬機構に所属する案内ローラ（２０２、２０４、２０６、２０８）の直径に一致する距離を離隔して、動きばめによって案内されていることを特徴とする請求項１〜６のいずれか１項に記載の案内構造体。
【請求項８】
前記走行面要素（７５０）が鏡像的に平行に、接触平面に沿ってのみ前記案内ローラ（２０２、２０４、２０６、２０８）によって案内されていることを特徴とする請求項７記載の案内構造体。
【請求項９】
連結された前記案内レール要素（７００）が真っ直ぐな経路、カーブした区間又はねじれた移行部を描いていることを特徴とする請求項１〜８のいずれか１項記載の案内構造体。
【請求項１０】
前記運搬機構が前記運搬路に沿ってレールで案内され、かつ、前記案内通路（６２０）の仮想中心線に沿って移動することを特徴とする請求項１〜９のいずれか１項に記載の案内構造体。
【請求項１１】
前記案内通路（６２０）が前記運搬機構（１００、２００）に所属するチェーン駆動装置（５３０）の通過のための貫通路（６３０）を備えていることを特徴とする請求項１〜１０のいずれか１項に記載の案内構造体。
【請求項１２】
前記案内レール要素（７００）が多角形又は円形の横断面を有することを特徴とする請求項１〜１１のいずれか１項に記載の案内構造体。
【請求項１３】
前記案内通路（６２０）が内室に、動かない多数の支持領域（７０２、７０６；７０３、７０５；７０４、７０８；７０７、７０９）を備え、この支持領域がそれぞれ少なくとも壁側に配置されていることと、前記支持領域が前記走行面要素（７５０）を少なくとも摩擦連結的に支持していることを特徴とする請求項１〜１２のいずれか１項に記載の案内構造体。
【請求項１４】
第１と第２の前記走行面要素のための対向して配置されて離隔された２つの前記支持領域（７０２、７０３）が第１の壁の壁側に配置されていることと、第３と第４の前記走行面要素のための、同様に対向して配置されて離隔された２つの前記支持領域（７０８、７０９）が、反対側の壁に設けられていることと、第５走行面要素のための他の支持領域（７０６）と、反対側の第６走行面要素のための他の支持領域（７０７）と、第７走行面要素のための他の支持領域（７０４）と、第８走行面要素のための他の支持領域（７０５）がそれぞれ壁側の各支持領域に隣接して配置され、この走行面要素の走行面がそれぞれ隣接する走行面要素に対して直角に配置されていることと、第１走行面要素（７０２）が第２走行面要素（７０３）と共に、第３走行面要素（７０８）が第４走行面要素（７０９）と共に、第５走行面要素（７０６）が第６走行面要素（７０７）と共に、そして第７走行面要素（７０４）が第８走行面要素（７０５）と共に、対をなして、対向して及び隣接して配置されていることを特徴とする請求項１〜１３のいずれか１項に記載の案内構造体。
【請求項１５】
前記第１走行面要素の前記走行面が前記第２走行面要素の前記走行面に対して、前記第３走行面要素の前記走行面が前記第４走行面要素の前記走行面に対して、前記第５走行面要素の前記走行面が前記第６走行面要素の前記走行面に対して、前記第７走行面要素の前記走行面が前記第８走行面要素の前記走行面に対して、間隔をおいて対向して配置されていることと、この間隔が前記運搬機構に所属する前記案内ローラ（２０２、２０４、２０６、２０８）の直径にほぼ一致していることを特徴とする請求項１又は１４記載の案内構造体。
【請求項１６】
少なくとも第１支持領域（７０２）、第３支持領域（７０８）、第５支持領域（７０６）及び第７支持領域（７０４）が走行面要素（７５０）を支持していることを特徴とする請求項１３〜１５のいずれか１項に記載の案内構造体。
【請求項１７】
印刷製品を搬送方向に搬送するように設計された運搬機構の動きを、好ましくは無端循環する、案内構造体によって決められた搬送路に沿って案内するための前記案内構造体で使用するための運搬機構において、
前記運搬機構が実質的に、互いに連結可能な多数の機能ユニットからなっていることと、機能ユニットが前記搬送路に沿ってほぼ続けて配置された少なくとも２個のチェーンリンク（１００、２００）から成っていることと、このチェーンリンク（１００、２００）が互いに固定連結部及び／又は枢着連結部を形成していることと、前記機能ユニットが第１チェーンリンク（１００）と第２チェーンリンク（２００）から成り、この両チェーンリンクが機能的に異なっていて、互いに作用連結されていることと、前記搬送機構を形成するために、前記機能ユニットの順序が等しくなるように又はほぼ等しくなるように又は類似するように又はその機能に従って異なるように、前記機能ユニットが構成されていることと、前記機能ユニットが分離可能な連結又は摩擦連結による分離可能な連結及び／又は分離不可能な連結のための手段又は連結要素を備えていることを特徴とする運搬機構。
【請求項１８】
各々１個の第１チェーンリンク（１００）が少なくとも２個の第１又は第２チェーンリンク（２００）の間に配置されていることと、第１チェーンリンク（１００）が他の両第２チェーンリンク（２００）に枢着連結されていることあるいは第１チェーンリンク（１００）が一方では第２チェーンリンク（２００）の一方に枢着連結され、他方では第２チェーンリンク（２００）の他方に固定連結されていることあるいは第１チェーンリンク（１００）が他の両第２チェーンリンク（２００）に固定連結されていることを特徴とする請求項１７記載の運搬機構。
【請求項１９】
各々１個の第２チェーンリンク（２００）が２個の第１チェーンリンク（１００）の間に配置されていることと、第２チェーンリンク（２００）が他の両第１チェーンリンク（１００）に枢着連結されていることあるいは第２チェーンリンク（２００）が一方では第１チェーンリンク（１００）の一方に枢着連結され、他方では第１チェーンリンク（１００）の他方に固定連結されていることあるいは第２チェーンリンク（２００）が他の両第１チェーンリンク（１００）に固定連結されていることあるいは個々のチェーンリンク及び／又は機能ユニットの間に他の機能機器が配置されていることを特徴とする請求項１７記載の運搬機構。
【請求項２０】
前記第１チェーンリンク（１００）が前記駆動チェーン（５００）を駆動装置に接続するように設計された接続領域（１１０）を備え、前記第２チェーンリンク（２００）が案内レール構造体（６００）に沿って運搬機構を案内するように設計された少なくとも１個の案内装置（２０２、２０４、２０６、２０８）を備えていることを特徴とする請求項１７記載の運搬機構。
【請求項２１】
前記接続領域（１１０）が前記搬送路の方向に対して横方向に、垂直に又はほぼ垂直に延在する櫛歯によって櫛状に形成されていることを特徴とする請求項２０記載の運搬機構。
【請求項２２】
前記案内装置が４個の案内ローラからなっていることと、第１の対の案内ローラ（２０６、２０８）が前記搬送路に対して横方向に、垂直に又はほぼ垂直に延在する共通の第１ローラ軸線回りに回転可能に支承されていることと、第２の対の案内ローラ（２０２、２０４）が、前記搬送方向と前記第１ローラ軸線を含む平面に対して横方向、垂直又はほぼ垂直の共通の第２ローラ軸線回りに回転可能に支承されていることを特徴とする請求項１７〜２１のいずれか１項に記載の運搬機構。